(57)【要約】  【課題】従来から、一つの機種で複数の記録媒体に対応でき、それぞれの記録媒体間の編集操作が可能な記録再生装置は提案されている。しかし、上記従来の記録再生装置の技術では、特定の記録媒体に対して録画または再生状態にあることは示せても、各記録媒体の動作状況を一見して直感的に把握するのが困難であった。  【解決手段】本発明では、かかる事情に鑑み、実行処理表示ボタンを有する記録再生装置は、複数の記録媒体ごとに対応するボタンを有しており、各ボタンは、対応する媒体に対して実行されている処理を表示する表示手段を有している。  【選択図】          図２
2006216213.tif 000002
【特許請求の範囲】
【請求項１】
複数の記録媒体ごとに対応するボタンを有する記録再生装置であって、
前記各ボタンは、対応する記録媒体に対して実行されている処理を表示する表示手段を有する
記録再生装置。
【請求項２】
前記表示手段が表示する処理は、記録媒体に記録されている信号の再生処理、記録媒体に対する信号の記録処理を含む請求項１に記載の記録再生装置。
【請求項３】
前記表示手段は、発光色で前記処理を識別するための発光器を有する請求項１又は２に記載の記録再生装置。
【請求項４】
前記ボタンの前記発光器は、ボタンとして機能させるために指などによって触るための指接触領域の周辺部に、発光色ごとに指接触領域に対する所定の相対位置を定めて発光領域を配置する請求項３に記載の記録再生装置。
【請求項５】
前記記録媒体は、テープ状記録媒体、ディスク状記録媒体、半導体メモリーのいずれか二以上を含む請求項１から４のいずれか一に記載の記録再生装置。
【請求項６】
前記記録媒体に対して実行すべき処理を選択するための処理選択部を有し、
請求項１から５のいずれか一に記載の記録再生装置。
【請求項７】
前記ボタンの前記表示手段が表示する処理には、前記処理選択部にて実行可能に選択され得る処理を、実行処理のための命令待ち状態とする処理を含む請求項６記載の記録再生装置。
【請求項８】
前記処理選択部は、可搬型記録媒体のローディング処理、待機処理、通常再生処理、特殊再生処理、記録処理、消去処理、コピー処理、移動処理、録画予約処理、タイマー処理、停止処理、可搬型記録媒体の取出処理のいずれか一又は二以上を選択するための処理選択手段を有する請求項６又は請求項７に記載の記録再生装置。
【請求項９】
前記処理選択部の処理選択手段は、
前記各ボタンに対する操作に基づいて前記選択をするためのボタン操作入力器を有する請求項８に記載の記録再生装置。
【請求項１０】
前記各ボタンが本体操作面に並べて配置されている請求項１から６のいずれか一に記載の記録再生装置。
【発明の詳細な説明】
【技術分野】
【０００１】
本発明は、実行処理表示ボタンを有する記録再生装置に関するものである。
【背景技術】
【０００２】
従来の記録再生装置では、例えば装置が録画状態にあることは「録画中」、また再生状態にあることは「再生中」とディスプレイに表示されたり、録画ボタンが赤く光る、あるいは再生ボタンが青く光るなどの方法によって利用者に示す構成をとっていた。
【特許文献１】特開２００３−１１６０８３号公報
【特許文献２】特開２００４−３０４７３９号公報
【特許文献３】特開２００４−１６６３１４号公報
【特許文献４】特開２００２−１７６６１２号公報
【発明の開示】
【発明が解決しようとする課題】
【０００３】
近年の記録再生装置は、多種類の記録媒体に対応する構成をとるようになりつつある。例えば記録媒体の種類としては、従来からあるビデオテープに加えて、各種ＤＶＤ、各種ＣＤ等の光ディスク、各種ＩＣメモリカードや、ハードディスクドライブ装置（ＨＤＤ）などの磁気ディスク等が利用されている。
【０００４】
そして、一つの筐体内に複数の記録再生装置を内蔵し、それぞれの記録媒体間の編集操作が可能な機種が増えてきている。しかし、上記従来の記録再生装置の技術では、特定の記録媒体に対して録画または再生状態にあることは示せても、各記録媒体の動作状況を一見して直感的に把握するのが困難であった。
【課題を解決するための手段】
【０００５】
上記課題を解決するために、本発明の実行処理表示ボタンを有する記録再生装置は、複数の記録媒体ごとに対応するボタンを有しており、各ボタンは、対応する媒体に対して実行されている処理を表示する表示手段を有している。
【発明の効果】
【０００６】
以上、説明したように、本発明の実行処理表示ボタンを有する記録再生装置によれば、ボタン操作に基づく処理実行状態の直感的把握が可能である。
【発明を実施するための最良の形態】
【０００７】
以下に、各発明を実施するための最良の形態を説明する。なお、本発明はこれら実施の形態に何ら限定されるものではなく、その要旨を逸脱しない範囲において、種々なる態様で実施しうる。
【０００８】
なお、以下の実施形態と請求項の関係は次の通りである。実施形態１は、主に請求項１などについて説明する。実施形態２は、主に請求項２などについて説明する。実施形態３は、主に請求項３などについて説明する。実施形態４は、主に請求項４などについて説明する。実施形態５は、主に請求項６および７などについて説明する。実施形態６は、主に請求項８について説明する。実施形態７は請求項９について説明する。
【０００９】
<<実施形態１>>
<実施形態１：概要>
【００１０】
実施形態１について説明する。本実施形態は、複数の記録媒体ごとに対応するボタンを有し、前記各ボタンは、対応する記録媒体に対して実行されている処理を表示する表示手段を有する記録再生装置である。
【００１１】
図１は、本実施形態の記録再生装置の概観の一例を示すものである。この図に示す本実施形態の記録再生装置（０１００）は、複数の記録媒体、ここではＶＨＳビデオテープ、ハードディスクドライブ（ＨＤＤ）及びＤＶＤごとに対応するボタン（０１０１）を有している。そして、前記各ボタンは、対応する記録媒体に対して実行されている処理を表示する表示手段を有しており、各ボタンの指接触領域周辺リング部には、例えば、図１に示すボタン拡大図のように、再生中であれば青色に、録画中であればオレンジ色に、実行処理のための命令待ち状態であれば白色に、領域を分けて点灯表示がなされるようになっている。この場合は、ＨＤＤからＤＶＤへダビングが行なわれており、ＨＤＤに対応するボタンの指接触領域周辺リング部の左下部分は再生中であることを示すべく青色に点灯しており、ＤＶＤに対応するボタンの指接触領域周辺リング部の右下部分は録画中であることを示すべくオレンジ色に点灯している。
【００１２】
<実施形態１：構成>
【００１３】
図２は実施形態１の構成の一例を示す機能ブロック図である。この図に示す本実施形態の記録再生装置（０２００）は、複数の記録媒体ごとに対応するボタン（０２０１）を有する記録再生装置であって、前記各ボタンは、対応する記録媒体に対して実行されている処理を表示する表示手段（０２０２）を有する。
【００１４】
本件発明の構成要素である各部は、ハードウエア、ソフトウエア、ハードウエアとソフトウエアの両者、のいずれかによって構成される。たとえば、これらを実現する一例として、コンピュータを利用する場合には、CPU、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１５】
<実施形態１：構成の説明>
【００１６】
以下に実施形態１の各構成を説明する。
【００１７】
「ボタン」（０２０１）は、複数の記録媒体ごとに対応しており、対応する記録媒体に対して実行されている処理を表示する表示手段（０２０２）を有する。「ボタン」の意味するところとしては、人が操作を行なうために視点を集中させている際に、ボタンであるとして一体的に認識される領域は、少なくとも「ボタン」を構成する領域となる。また、一つのボタンが複数の処理を起こさせる機能を有していてもよい。即ち、例えば、ボタンを軽く一回押すことにより再生の処理がなされ、二回連続して押すこと（ダブルクリック）で早送りの処理がなされるような機能を有していてもよい。本発明の目的を達成するためには、複数の「ボタン」は、図１に示す例のように本体操作面に並べて配置されているとよい。また、配置はこの例に限られず、一見してすべてのボタンの表示が視認可能な状態で配置されていればよく、図６に示す例のような種々の配置が考えられる。
【００１８】
「複数の記録媒体」は、例えば、テープ状記録媒体、ディスク状記録媒体、半導体メモリー等がこれに該当し、これらの内のいずれか二以上を含む場合もある。
【００１９】
「表示手段」（０２０２）は、前記ボタン（０２０１）に備えられており、対応する記録媒体に対して実行されている処理を表示する。
【００２０】
図２に示す構成によれば、ボタン操作がなされると、処理実行部（０２０３）がボタンからの信号を受け取り、当該ボタンの対応する記録媒体に実行処理の命令を出す。次に、当該記録媒体から実行処理している内容についての情報を処理実行部が取得して、ボタン内の表示手段（０２０２）に処理の内容についての情報を伝達する。この情報を受け取った表示手段は、例えば、図１に示すボタンの例のように、指接触領域周辺リング部の点灯表示の場所及び色の別によって、現在対応する記録媒体がいかなる処理を行なっているかを表示する。その他の例としては、表示手段にディスプレイが含まれており、図３のｂ）に示すように、「録画」、「再生」のような文字や記号等の表示を行なうことも考えられる。また他の例としては、図３のａ）に示すように、各ボタンの指接触領域周辺にＬＥＤを点滅表示可能に配置して、色や点滅頻度等の別により実行処理の種類を識別可能としてもよい。また、各表示手段が対応する記録媒体以外の記録媒体についても、信号の送受信の情報を取得可能とすることによって、図３のａ）の矢印で示すような信号の流れを表示できるように、ＬＥＤが順次点滅するように構成されていてもよい。
【００２１】
ここで、「実行されている処理」とは、例えば、記録、再生、待機、取り出し、更には記録媒体に対して機械が自主的に属性情報（ＴＯＣ）を書き込むことなどもこれに該当する。前記再生には、通常モードでの再生の他に、倍速モードでの再生等種々の再生が含まれ、また、前記記録には、圧縮度の異なる種々の記録が含まれる。
【００２２】
尚、本実施形態における表示手段によって表示される処理は、ボタンを押すことにより直接的に実行命令がなされる処理のみには限られない。例えば、前述の属性情報の自動的な書き込み処理や、ボタンを押すことによってそのボタンに対応する記録媒体が待機状態となり、その後に別のボタン操作により再生、記録等の実行命令がなされるような場合、その再生、記録等の処理もまた、本実施形態における表示手段によって表示される処理に含まれる。
【００２３】
「記録再生装置」（０２００）は、以上のような構成要件をもって出来上がる装置であり、「記録再生装置」とは、情報の記録及び再生が可能な装置のみならず、記録のみが可能な装置や再生のみが可能な装置もこれに含まれる。
【００２４】
<実施形態１：効果>
【００２５】
以上、説明したように、本発明の記録再生装置によれば、ボタン操作に基づく処理実行状態の直感的把握が可能である。
【００２６】
<<実施形態２>>
<実施形態２：概要>
【００２７】
実施形態２について説明する。本実施形態は、前記表示手段が表示する処理が、記録媒体に記録されている信号の再生処理、記録媒体に対する信号の記録処理を含む点に特徴がある。
【００２８】
<実施形態２：構成>
【００２９】
本実施形態の記録再生装置は、実施形態１の構成を基本として、前記表示手段が表示する処理が、記録媒体に記録されている信号の再生処理、記録媒体に対する信号の記録処理を含む点に特徴がある。
【００３０】
<実施形態２：構成の説明>
【００３１】
本実施形態の特徴点などについて以下に説明する。
【００３２】
「表示手段」が表示する処理は、記録媒体に記録されている信号の再生処理、記録媒体に対する信号の記録処理を含む。
【００３３】
「記録媒体に記録されている信号」とは、例えば、ＤＶＤに記録されている映画情報を構成する信号などがこれに該当する。「記録媒体に対する信号」とは、例えば、ＤＶＤからＨＤＤへダビングが実行される際に、ＨＤＤに送信されてくる映画情報を構成する信号などがこれに該当する。
【００３４】
例えば、図４に示すように、記録媒体であるＶＨＳビデオテープに対応するボタン（０４０１）の有する表示手段は、ＶＨＳビデオテープが再生処理を行なっている場合は、そのボタンの指接触領域周辺リング部の左側の領域を青色に点灯させ、ＶＨＳビデオテープが録画処理を行なっている場合は、そのボタンの指接触領域周辺リング部の右側の領域をオレンジ色に点灯させるようになっていてもよい。
【００３５】
<実施形態２：効果>
【００３６】
以上、説明したように、本発明の記録再生装置によれば、ボタン操作に基づく処理実行状態の直感的把握が可能である。
【００３７】
<<実施形態３>>
<実施形態３：概要>
【００３８】
実施形態３について説明する。本実施形態は、前記表示手段が、発光色で前記処理を識別するための発光器を有する点に特徴がある。
【００３９】
<実施形態３：構成>
【００４０】
本実施形態の記録再生装置は、実施形態１又は２の構成を基本とし、更に、前記表示手段が、発光色で前記処理を識別するための発光器を有する点に特徴がある。
【００４１】
<実施形態３：構成の説明>
【００４２】
本実施形態の特徴点などについて以下に説明する。
【００４３】
「発光器」は、表示手段に備えられており、発光色で各記録媒体に対して実行されている処理を識別できるように構成されている。「発光」は、例えば、蛍光管、ＬＥＤ、ＥＬ、プラズマ、電球によるものなど、種々の方法によることができる。本実施形態では、ボタンに備えられた表示手段が発光器を有しており、これは即ち、ボタン自体が発光することを意味している。
【００４４】
本実施形態の具体例としては、実施形態２の構成の説明において、図４を参照して挙げた例が同様にこれに該当し、本実施形態の記録再生装置の利用者は、ボタンの指接触領域周辺リング部の一部が「青色」に点灯していることにより、実行されている処理が「再生」であることを、ボタンの指接触領域周辺リング部の一部が「オレンジ色」に点灯していることにより、実行されている処理が「録画」であることを、直感的に把握可能となる。
【００４５】
<実施形態３：効果>
【００４６】
以上、説明したように、本発明の記録再生装置によれば、ボタン操作に基づく処理実行状態の直感的把握が可能である。
ことができる。
【００４７】
<<実施形態４>>
<実施形態４：概要>
【００４８】
実施形態４について説明する。本実施形態は、発光器が、指などによって触るための指接触領域の周辺部に、発光色ごとに指接触領域に対する所定の相対位置を定めて配置される点に特徴がある。
【００４９】
<実施形態４：構成>
【００５０】
本実施形態の構成は、実施形態３の構成を基本として、更に、前記発光器が、ボタンとして機能させるために指などによって触るための指接触領域の周辺部に、発光色ごとに指接触領域に対する所定の相対位置を定めて配置される点に特徴がある。
【００５１】
<実施形態４：構成の説明>
【００５２】
本実施形態の特徴点などについて以下に説明する。
【００５３】
発光器は、ボタンとして機能させるために指などによって触るための指接触領域の周辺部に、発光色ごとに指接触領域に対する所定の相対位置を定めて配置される。ここで、発光器が「指接触領域の周辺部」に配置されることとしているのは、本発明の目的を達成するためには、ボタン操作時に指によって隠されることなく、また、視線を移動させる必要もなく、一体的に表示内容を把握可能とすることが必要とされるからである。
【００５４】
また、「所定の相対位置」を定めることにより、利用者は、所定の相対位置に応じて直感的に実行されている処理の内容を認識することができる。例えば、実施形態２の構成の説明において、図４を参照して挙げた例においては、本実施形態の記録再生装置の利用者は、ボタンの指接触領域周辺部の「左側」が青色に点灯していることにより、実行されている処理が「再生」であることを、ボタンの指接触領域周辺部の「右側」がオレンジ色に点灯していることにより、実行されている処理が「録画」であることを、直感的に把握可能となる。
【００５５】
本発明の目的を達成するためには、複数の「ボタン」は、図１に示す例のように本体操作面に並べて配置されているとよい。また、配置はこの例に限られず、一見してすべてのボタンの表示が視認可能な状態で配置されていればよく、図６に示す例のような種々の配置が考えられる。
【００５６】
<実施形態４：効果>
【００５７】
以上、説明したように、本発明の記録再生装置によれば、ボタン操作に基づく処理実行状態の直感的把握が可能である。
【００５８】
<<実施形態５>>
<実施形態５：概要>
【００５９】
実施形態５について説明する。本実施形態は、前記記録媒体に対して実行すべき処理を選択するための処理選択部が設けられており、前記ボタンの前記表示手段が表示する処理には、前記処理選択部にて実行可能に選択され得る処理を、実行処理のための命令待ち状態とする処理を含む点に特徴がある。
【００６０】
<実施形態５：構成>
【００６１】
図５は実施形態５を示す機能ブロック図の一例である。本実施形態の構成は、実施形態１から４のいずれかの構成を基本として、更に、前記記録媒体に対して実行すべき処理を選択するための処理選択部（０５０４）が設けられており、前記ボタンの前記表示手段（０５０２）が表示する処理には、前記処理選択部（０５０４）にて実行可能に選択され得る処理を、実行処理のための命令待ち状態とする処理を含む点に特徴がある。
【００６２】
<実施形態５：構成の説明>
【００６３】
図５を参照しながら、本実施形態の特徴点などについて以下に説明する。
【００６４】
「処理選択部」（０５０４）は、前記記録媒体に対して実行すべき処理を選択する。即ち、ここで、再生、録画等の種々の処理の内、操作されたボタンの対応する記録媒体が実行可能な処理が内部的に把握される。
【００６５】
「表示手段」（０５０２）が表示する処理には、前記処理選択部にて実行可能に選択され得る処理を、実行処理のための命令待ち状態とする処理を含む。
【００６６】
図５に示す構成に従って説明する。ボタン操作がなされると、処理選択部（０５０４）が、そのボタンに対応する記録媒体に対して実行可能な処理がいずれであるかを内部的に計算して把握する。実行可能な処理がある場合には、処理選択部（０５０４）は、実行可能な処理がある旨、ないしは、実行可能な処理を識別するための情報を処理実行部（０５０３）にわたす。処理実行部（０５０３）は、前記ボタンに対応する記録媒体が、前記処理選択部（０５０４）からわたされた情報に基づいてその処理を実行される状態にするための処理を実行する。「実行される状態にするための処理」とは、例えば、実行可能な処理が前記ボタンに対応する記録媒体に記録されたコンテンツ信号をディスプレイに出力して映像として映し出すことであれば、記録媒体から出力される信号がいつでもディスプレイに対して届くように電子回路をスイッチングしたり、場合により、ディスプレイの状態を待機状態から実働状態に変更させるための信号を出力するなどの処理が該当する。ただし、内部的には、実行される状態にするための処理が特になく、ボタンが押された状態ですでに実行される状態になっている場合も本実施形態においては「実行される状態にするための処理」があったとする。
【００６７】
例えば、図７を参照して一例を挙げると、本実施形態の記録再生装置の利用者は、ボタンの指接触領域周辺部の「左側」が青色に点灯していることにより、実行されている処理が「再生」であることを、ボタンの指接触領域周辺部の「右側」がオレンジ色に点灯していることにより、実行されている処理が「録画」であることを、ボタンの指接触領域周辺部の「上部」が白色に点灯していることにより、対応する記録媒体が命令待ち状態にあることを、直感的に把握可能となる。
【００６８】
このようにして、利用者は操作したボタンに対応する媒体が、いかなる処理を実行しているかということに加えて、実行可能な処理命令があればその処理が実行される状態、即ち命令待ち状態にあることをも直感的に把握できる。
【００６９】
また、複数の操作ボタンが存在する場合には、上述の通り、各ボタンを見ることで対応する各記録媒体の状況を把握可能であるが、複数の記録媒体が存在し、複数の操作ボタンがある場合には、一見して、どの記録媒体からどの記録媒体へ情報が流れているか、又は現在どの媒体が命令待ち状態にあるかを把握することが可能となる。複数の操作ボタンを一見して、すべての記録媒体の状況を把握可能として、前記効果をより有効に奏させるためには、図６に示すように、複数の操作ボタンを並べて配置することが好ましい。ボタンが２つの場合の配置例を図６（ａ）に、３つの場合の配置例を図６（ｂ）及び（ｃ）に、４つの場合の配置例を図６（ｄ）及び（ｅ）に挙げた。これらの配置によれば、一見して装置内の複数記録媒体間の情報の流れの把握が可能となる。
【００７０】
<実施形態５：具体例>
【００７１】
図８から図１７に、３種類の記録媒体「ＶＨＳ」、「ＨＤＤ」及び「ＤＶＤ」に対応する操作ボタンを、一見して把握可能に横一列に配置した場合の表示例を挙げた。各ボタンの指接触領域周辺上部のＬＥＤ表示部は、命令待ち状態であることを、各ボタンの指接触領域周辺右下部のＬＥＤ表示部は、録画処理を行なっていることを、各ボタンの指接触領域周辺左下部のＬＥＤ表示部は、再生処理を行なっていることを、それぞれ点灯により表示するものである。また、図において、ＬＥＤ表示部が白色になっているのは点灯を、黒色は消灯を、また「点滅」の記載のあるものは点滅を表す。
【００７２】
図８では、記録再生装置の電源を入れた直後の表示例である。ＶＨＳは電源を入れたとほぼ同時に準備完了するのに対して、ＨＤＤ及びＤＶＤは電源を入れた後、実際の準備が完了するまで時間がかかるため、ＨＤＤ、ＤＶＤに対応する各ボタンの指接触領域周辺上部のＬＥＤ表示部が点滅する。図９は記録再生装置に電源が入っていない状態を示し、すべてのＬＥＤ表示部は消灯している。図１０は、ＨＤＤによる放送番組の録画を一時停止した状態を示し、録画処理を行なっていることを示す右下部のＬＥＤ表示部が点滅しており、ＨＤＤが命令待ち状態にあることを示す上部のＬＥＤ表示部が点灯している。図１１は、ＤＶＤによる再生を静止させた状態で、再生処理を行なっていることを示す左下部のＬＥＤ表示部が点滅しており、ＤＶＤが命令待ち状態であることを示す上部のＬＥＤ表示部が点灯している。
【００７３】
図１２は、ＨＤＤからＤＶＤへのダビング操作を行なう際の表示例である。まず、ダビング元であるＨＤＤに対応するボタンを押すことにより、ＨＤＤが命令待ち状態であることを示す上部ＬＥＤ表示部と、再生処理を行なっていることを示す左下部ＬＥＤ表示部とが点灯し（図１２（ａ）参照）、記録再生装置本体表示部のウィンドウには、再生の文字、ダビングされるコンテンツのタイトル、及びカウンターが順次表示される（図１２（ｅ）参照）。尚、本例の記録再生装置は、ＨＤＤ又はＤＶＤに対応するボタンを押すと、命令待ち状態になるだけでなく、一旦、再生し、利用者がダビングしたいタイトルである事を装置本体表示部のウィンドウで確認してから、再生のままダビング操作をするとタイトルの頭に戻り、ダビングを開始することができるように構成されている。次に、ダビングボタンを押すことにより、ダビング可能な他の記録媒体であるＶＨＳ及びＤＶＤの、録画処理を行なっていることを示す右下のＬＥＤ表示部が点滅する（図１２（ｂ）及び（ｆ）参照）。次に、ダビング先を指定するためにＤＶＤのボタンを選択して押すことにより、ＤＶＤの録画処理を行なっていることを示す右下ＬＥＤ表示部が点灯し、命令待ち状態であることを示す上部ＬＥＤ表示部が点灯する（図１２（ｃ））。ダビングが開始されると、記録再生装置本体表示部のウィンドウには、ダビングされているコンテンツのタイトルが数秒間表示された後に、ＨＤＤからＤＶＤへダビングが行なわれていることが「ＨＤＤ」及び「ＤＶＤ」のマークの表示と矢印の点滅移動により示され、数秒後に再びダビングされているコンテンツのタイトル表示が行なわれ、次に、カウンター表示がなされ、また、ＨＤＤからＤＶＤへダビングが行なわれていることが表示され、その後も数秒毎に表示が順次切り替わるようになっている（図１２（ｇ）参照）。ダビングボタン操作等によりダビングが終了すると、ＨＤＤが再生処理を行なっていることを示す左下のＬＥＤ表示部と、ＤＶＤが録画処理を行なっていることを示す右下のＬＥＤ表示部とが消灯し（図１２（ｄ）参照）、記録再生装置本体表示部のウィンドウには、命令待ち状態であるＤＶＤのマークの表示とチャンネル表示とがなされる（図１２（ｈ）参照）。
【００７４】
図１３はＤＶＤからＨＤＤへの、図１４はＨＤＤからＶＨＳへの、図１５はＶＨＳからＨＤＤへの、図１６はＤＶＤからＶＨＳへの、図１７はＶＨＳからＤＶＤへのダビング操作を行なう際の表示例である。図１３から１７のボタン操作によるＬＥＤ表示部及び記録再生装置本体表示部の表示の切り変わり方は、図１２において説明したものとほぼ同様であるため省略する。
【００７５】
<実施形態５：効果>
【００７６】
以上、説明したように、本発明の記録再生装置によれば、ボタン操作に基づく処理実行状態の直感的把握が可能である。
<<実施形態６>>
<実施形態６：概要>
【００７７】
本実施形態は、処理選択部が、可搬型記録媒体の各種処理や待機処理などの処理を一又は二以上を選択するための処理選択手段を有することを特徴とした記録再生装置である。
<実施形態６：構成>
【００７８】
本実施形態の構成を図１８に示した。本実施形態の構成は、基本的に実施形態５とほぼ共通であるが、処理選択部（１８０４）に処理選択手段（１８０５）を有する記録再生装置（１８００）である。
【００７９】
「処理選択手段」は、可搬型記録媒体（１８０１）のローディング処理、待機処理、通常再生処理、特殊再生処理、記録処理、消去処理、コピー処理、移動処理、録画予約処理、タイマー処理、停止処理、可搬型記録媒体の取出処理のいずれか一又は二以上を選択する。処理選択手段は、処理を行う指示を受けると、それに対応する処理を選択し、処理実行部（１８０３）へ指示する。例えば、通常再生処理の指示があった場合、処理選択手段は、通常再生処理に必要な情報や命令を選択し、処理実行部へ命令する。
【００８０】
処理選択部は、処理選択手段の指示により、処理実行手段に処理を指示するとともに、表示手段（１８０２）に対して、処理内容の表示を指示する。
【００８１】
可搬型記録媒体のローディング処理は、記録媒体がローディングされていないドライブに対して、記録媒体をローディングする処理である。例えば、DVDやCDのような光ディスク型記録媒体の場合、ローディング処理は、ドライブのディスクトレイを開き、ユーザが可搬型記録媒体をディスクトレイに置き、ユーザのボタン操作でディスクトレイが記録再生装置に引き込まれ、可搬型記録媒体がドライブにローディングされる。可搬型記録媒体がドライブにローディングされると、記録再生装置の光ピックアップは、可搬型記録媒体に記録されている情報を確認し、ディスクの種類などを判断し可搬型記録媒体が正常にローディングされたことを確認する。これら一連の流れが光ディスク型の可搬型記録媒体のローディング処理である。対して、VHSなどのテープ型の記録媒体の場合、ユーザが可搬型記録媒体を記録再生装置に挿入すると、テープを記録再生装置の記録再生ヘッドにロードし、記録再生が可能な状態にする。これら一連の流れがテープ型の可搬型記録媒体のローディング処理である。処理選択手段は、ローディング処理の指示があると、ディスクトレイの開閉命令やディスクの確認命令、テープのローディング命令などを処理実行部に対して行う。
【００８２】
待機処理は、記録再生装置が、電源投入状態でローディング処理、通常再生処理、特殊再生処理、記録処理、消去処理、移動処理、録画予約処理、タイマー処理、停止処理、取り出し処理などが行われていない状態である。
【００８３】
通常再生処理は、可搬型記録媒体に記録されているデータを再生する処理である。通常再生処理の指示があると、処理選択手段は、再生するドライブや可搬型記録媒体の種類などを考慮のうえ、処理実行部に再生の指示を行う。
【００８４】
特殊再生処理は、通常再生処理とは異なり、早送りやコマ送り、早戻しなどの再生の際に伴って行われる処理や、可搬型記録媒体がテープ型の場合などの巻き戻し処理などである。
【００８５】
記録処理は、可搬型記録媒体にデータを書き込む処理である。処理選択手段は、書き込むデータの保存場所や、書き込み対象の可搬型記録媒体、可搬型記録媒体の記録場所などの情報と書き込みの命令を処理実行部に指示する。
【００８６】
消去処理は、可搬型記録媒体に記録されているデータを消去する処理である。処理選択手段は、消去するデータを含む可搬型記録媒体の場所や種類、可搬型記録媒体上のどのデータを消去するかといった情報と消去処理の命令を処理実行部に指示する。
【００８７】
コピー処理は、可搬型記録媒体に記録されているデータを他の可搬型記録媒体に対して一部または全てを記録する処理である。また、コピー処理はコピー元となる可搬型記録媒体のデータは消去処理を行わない。処理選択手段は、コピー先である可搬型記録媒体に対して、書き込むデータの保存場所や、書き込み対象の可搬型記録媒体、可搬型記録媒体の記録場所などの情報と書き込みの命令を処理実行部に指示する。
【００８８】
移動処理は、可搬型記録媒体に記録されているデータを他の可搬型記録媒体に対して、一部または全てを記録する処理である。また、移動処理は、移動元となる可搬型記録媒体のデータは、移動先の可搬型記録媒体にデータを記録後、消去される。処理選択手段は、移動先となる可搬型記録媒体に対して、書き込むデータの保存場所や、書き込み対象の可搬型記録媒体、可搬型記録媒体の記録場所などの情報と書き込みの命令を処理実行部に指示する。また、コピー元の可搬型記録媒体に対しては、コピー先の可搬型記録媒体に書き込みが済んだデータの消去命令を処理実行部に指示する。
【００８９】
録画予約処理は、地上波アナログ放送や地上波デジタル放送、BS、CSなどの衛星放送、ケーブルテレビ、インターネット放送などを受信し、受信した映像データを可搬型記録媒体に記録する処理である。録画予約処理は、予め指定した時間およびチャンネルで受信されるデータを可搬型記録媒体に記録する、処理選択手段は、指定された時間およびチャンネルと記録先の可搬型記録媒体の情報を処理実行部に指示し、指定された時間になると記録開始を指示する。
【００９０】
タイマー処理は、指定された時間に指定された処理を行う。行われる処理は、ローディング処理、待機処理、通常再生処理、特殊再生処理、記録処理、消去処理、コピー処理、移動処理、録画予約処理、タイマー処理、停止処理、可搬型記録媒体の取出処理のいずれの一か複数を指定することが出来る。処理選択手段は、指定した時間になると、指定された処理を処理実行部に指示する。
【００９１】
停止処理は、現在記録再生装置が行っている処理を停止する処理である。処理実行部は、処理実行部に現在実行中の処理を停止を指示する。
【００９２】
可搬型記録媒体の取出処理は、待機状態にある可搬型記録媒体を記録再生装置から取り出す処理である。処理実行部は、処理実行部に対して、可搬型記録媒体の取出するための指示を行う。
【００９３】
<<実施形態７>>
<実施形態７：概要>
【００９４】
本実施形態は、前記処理選択手段に、前記各ボタン操作に対応したボタン操作入力器を有することを特徴とする記録再生装置である。
<実施形態７：構成>
【００９５】
本実施形態の構成を図１９に示した。本実施形態の構成は、基本的に実施形態５とほぼ共通であるが、処理選択部（１９０４）の処理選択手段（１９０５）に各ボタン（１９０２）に対する処理に基づいて、前記選択をするためのボタン操作入力器（１９０６）を有する記録再生装置（１９００）である。
【００９６】
ボタン操作入力器（１９０６）は、各ボタンにより入力された処理に基づき、処理の選択を行う。ボタン操作入力器に処理の指示が入力されると、処理選択手段は処理実行部（１９０３）に対して、ボタン操作入力器に入力された指示に基づいて、処理の指示を行う。
【００９７】
各ボタン（１９０２）は、ローディング処理、待機処理、通常再生処理、特殊再生処理、記録処理、消去処理、コピー処理、移動処理、録画予約処理、タイマー処理、停止処理、可搬型記録媒体の取出処理などの状態を表す表示手段の他に、ユーザが各ボタンを操作することにより、各指示をボタン操作入力器を通じて、処理選択手段に指示することが可能である。各ボタンは、スイッチを搭載しており、このスイッチをクリック、押下、長押などをすることによって、各処理の指示がボタン操作入力器に伝えられる。また、各ボタンのスイッチをクリックすることによる処理の指示内容は、記録媒体（１９０１）のマウント状況や、再生中や記録中などといった記録再生装置の状態によって変化してもよい。また、クリックを1回行う場合や2回連続してクリック（ダブルクリック）することにより、処理の指示内容が変化しても良い。
<実施形態７：具体例>
【００９８】
図２０A、B、Cに本実施形態の具体例を示した。図２０A、B、Cは、各処理に対応する各ボタンの操作を示している。具体例に示した記録再生装置は、記録媒体としてVHSビデオ、ハードディスクドライブ、書き込み型DVDドライブを搭載している。
【００９９】
ローディング処理では、待機状態の該当記録媒体（図２０ではDVD）のボタンをクリックし、ディスクトレイの開閉を行いディスクの挿入が行われる。
【０１００】
待機処理は、選択モードにある該当記録媒体を所定時間（数秒間）放置することで待機状態となる。
【０１０１】
通常再生処理は、該当記録媒体が選択モード（該当記録媒体に対応するボタン上部が点灯）の状態（図２０ではDVD）で、クリックを行うと通常再生が開始される。
【０１０２】
特殊再生処理は、該当記録媒体（図２０ではDVD）が再生状態で、ダブルクリックをすると早送りとなり、長押しすると、逆送りとなる。早送りおよび逆送り中に、クリックをすると、通常再生に戻る。また、早送り中にダブルクリックをさらに行うと、早送りの速度が速くなる。
【０１０３】
記録処理は、選択モードで該当記録媒体（図２０ではDVD）のボタンをダブルクリックすることで、記録処理が開始される。
【０１０４】
消去処理は、選択モードで、該当記録媒体（図２０ではDVD）のボタンを長押し（数秒間）することで、消去処理が開始される。
【０１０５】
コピー処理は、コピー元の記録媒体のボタンと、コピー先の記録媒体のボタンを使って開始できる。例えば、図２０のように、DVDからVHSへデータのコピーを行う場合は、まずDVDとVHSのボタンを同時にクリックする。次に、コピー元であるDVDのボタンを押し、続けてコピー先であるVHSのボタンをダブルクリックすることで、コピー処理が開始される。
【０１０６】
移動処理は、コピー処理と同様に、まず移動元（図２０ではDVD）と移動先（図２０ではVHS）のボタンを同時にクリックする。次に移動元のボタンを長押しし、その後移動先のボタンをダブルクリックすることで、移動処理が開始される。
【０１０７】
録画予約処理は、VHS、HDD、DVDのすべてのボタンを同時に押し、記録先となる記録媒体のボタン（図２０ではDVD）をクリックし、本体表示に表示される処理内容の中の録画予約処理を選択する。録画予約処理を選択すると、各ボタンはそれぞれ、月、日、チャンネルを選択するボタンとなり、それぞれを選択すると、次に各ボタンは、時、分、録画モード（VHSの場合、標準モードと３倍モードなど）を選択するボタンとなる。それぞれの設定が終了すると、録画予約処理は完了する。
【０１０８】
タイマー処理は、録画予約処理と同様に、VHS、HDD、DVDのすべてのボタンを同時に押し、処理を行う記録媒体のボタンをクリックし、本体表示に表示される処理内容を選択する。日時やチャンネルなどの設定は、録画予約処理と同様に行い、タイマー処理を完了する。
【０１０９】
停止処理は、各処理中に１回クリックを行うことで、各処理を停止する。図２０では、DVD再生中にDVDボタンをクリックすることで再生処理を停止している。
【０１１０】
取出処理は、ローディング処理と同様に、待機状態で該当記録媒体のボタンをクリックすることで、ディスクトレイの開閉やVHSなどのテープ型記録媒体が排出され、取出処理が行われる。
【図面の簡単な説明】
【０１１１】
【図１】実施形態１を説明するための外観概念説明図
【図２】実施形態１を説明するための機能ブロック図
【図３】表示の具体例を説明する概念図
【図４】表示の具体例を説明する概念図
【図５】実施形態５を説明するための機能ブロック図
【図６】配置の具体例を説明する概念図
【図７】表示の具体例を説明する概念図
【図８】表示の具体例を説明する概念図
【図９】表示の具体例を説明する概念図
【図１０】表示の具体例を説明する概念図
【図１１】表示の具体例を説明する概念図
【図１２】表示の具体例を説明する概念図
【図１３】表示の具体例を説明する概念図
【図１４】表示の具体例を説明する概念図
【図１５】表示の具体例を説明する概念図
【図１６】表示の具体例を説明する概念図
【図１７】表示の具体例を説明する概念図
【図１８】実施形態６を説明するための機能ブロック図
【図１９】実施形態７を説明するための機能ブロック図
【図２０Ａ】実施形態７の具体例を説明する概念図
【図２０Ｂ】実施形態７の具体例を説明する概念図
【図２０Ｃ】実施形態７の具体例を説明する概念図
【符号の説明】
【０１１２】
０２００    実行処理表示ボタンを有する記録再生装置
０２０１    ボタン
０２０２    表示手段
０２０３    処理実行部
【図１】
2006216213.tif 000003
【図２】
2006216213.tif 000004
【図３】
2006216213.tif 000005
【図４】
2006216213.tif 000006
【図５】
2006216213.tif 000007
【図６】
2006216213.tif 000008
【図７】
2006216213.tif 000009
【図８】
2006216213.tif 000010
【図９】
2006216213.tif 000011
【図１０】
2006216213.tif 000012
【図１１】
2006216213.tif 000013
【図１２】
2006216213.tif 000014
【図１３】
2006216213.tif 000015
【図１４】
2006216213.tif 000016
【図１５】
2006216213.tif 000017
【図１６】
2006216213.tif 000018
【図１７】
2006216213.tif 000019
【図１８】
2006216213.tif 000020
【図１９】
2006216213.tif 000021
【図２０Ａ】
2006216213.tif 000022
【図２０Ｂ】
2006216213.tif 000023
【図２０Ｃ】
2006216213.tif 000024